(57)【特許請求の範囲】
【請求項１】
穿刺孔内部へ止血剤を挿入する装置において、
（ａ）穿刺孔内部に挿入される、止血剤をチャージしたカートリッジ、
（ｂ）前記カートリッジを保持する中空シース、
（ｃ）前記シースの後端部でシースと一体化されており、前記カートリッジ内にチャージした止血剤に対する押出ピストン部、
（ｄ）前記カートリッジを中空シース内部で摺動スライドさせる案内ノブ、
（ｅ）前記中空シースの前端部に設けた係止部材、
を有し、
前記止血剤をチャージしたカートリッジの穿刺孔内部への挿入を、穿刺孔の深度に固定するように、シース前端部に設けた係止部材により調節され、
穿刺孔内部に挿入された当該カートリッジを、案内ノブによりシース内で後方にスライドすることにより、穿刺孔内部から引き抜きを行いつつ、当該シースと一体化されたカートリッジ内の押出ピストン部により、穿刺孔内部にカートリッジ内にチャージした止血剤を穿刺孔に充填する、
止血剤挿入装置。
【請求項２】
前記カートリッジの先端部が、テーパー構造を有する請求項１に記載の止血剤挿入装置。
【請求項３】
当該テーパー構造部に、切れ込みを施した請求項２に記載の止血剤挿入装置。
【請求項４】
止血剤をチャージしたカートリッジの穿刺孔内部への挿入粗補助し、カートリッジと一体化されて穿刺孔内部から引き抜きを行うよう案内シースを用いる請求項１ないし３のいずれかに記載の止血剤挿入装置。
【請求項５】
止血剤がコラーゲンまたは可溶性止血セルロースである請求項１に記載の止血剤挿入装置。
【発明の詳細な説明】
技術分野
本発明は、血管の穿刺部位の止血を容易にするための止血剤挿入装置およびその方法に関する。
背景技術
心臓へのカテーテル導入手術、経皮的診断造影、経皮的冠動脈形成術（ＰＴＣＡ）あるいは経皮的冠動脈再生術（ＰＴＣＲ）等の特殊医療手術において、カテーテル等の装置が一般的に大腿部の鼠頚部から経皮的に挿入され、動脈内を経て手術部位に供給され、低侵襲な手術が施されている。
この方法にあっては、カテーテル等の装置の挿入を容易ならしめるために、動脈穿刺部をシースにより拡張し、必要な処置を行い、手術後においては、シースを除去した後、穿刺孔を閉じる必要がある。
この場合の穿刺孔の止血に際しては、小さな穿刺孔の場合には、単に指圧を加えることによって達成されるが、血管手術のような場合には、大口径のカテーテルを使用したほうがはるかに有利なものであることより、比較的口径の大きなシースを用いた手術が採用されている。
ところで、大口径のシースを用いた手術後の穿刺孔の止血には、指圧による圧迫手当てでは長時間にわたり必要な穿刺孔部位での圧迫手当てを必要とする。したがって、穿刺傷口の閉塞が完了するまで患者を不動状態で固定しておかねばならず、患者にとってはその間の不動化はかなりの苦痛を伴うものである。
また、この方法で得られた傷口の閉塞は完全なものとはいえず、一旦閉塞された後において、傷口が再開する傾向が多く、患者は２４時間あるいはそれ以上病院に止まらなくてはならないといったことが要求されている。
最近に至り、このような大口径のシースを用いてカテーテル等を挿入し、必要な手術を施した後の穿刺孔の閉塞手段として、コラーゲン等の止血剤を穿刺孔後に挿入（充填）させ、止血を図る装置が開発され、大口径のシースを用いた心臓手術等のシースの閉塞を容易ならしめた装置が提案されている。
しかしながら、これまで提案されている穿刺孔の止血装置は、コラーゲン等の止血剤を穿刺孔内へ、いわゆる押し入れ充填する手段を採用することより、余分な止血剤が穿刺傷下部の動脈管内まで充填され易く、そのような過分の止血材料の充填が生じないよう複雑な部材を使用するものであり、またかなりの熟練を必要とするものでもある。したがって、より簡便な止血剤挿入装置の開発が望まれているのも現状である。
発明の開示
したがって本発明は、複雑な装置等を必要とせず、止血剤の不必要な充填が生じない、より簡便な手段による穿刺孔の止血を達成し得る止血剤挿入装置、および当該装置を用いた穿刺孔の止血方法を提供することを課題とする。
そのための本発明は、その第一の基本的態様として；
穿刺孔内部へ止血剤を挿入する装置において、
（ａ）穿刺孔内部に挿入される、止血剤をチャージしたカートリッジ、
（ｂ）前記カートリッジを保持する中空シース、
（ｃ）前記シースの後端部でシースと一体化されており、前記カートリッジ内にチャージした止血剤に対する押出ピストン部、
（ｄ）前記カートリッジを中空シース内部で摺動スライドさせる案内ノブ、
（ｅ）前記中空シースの前端部に設けた係止部材、
を有し、
前記止血剤をチャージしたカートリッジの穿刺孔内部への挿入を、穿刺孔の深度に固定するように、シース前端部に設けた係止部材により調節され、
穿刺孔内部に挿入された当該カートリッジを、案内ノブによりシース内で後方にスライドすることにより、穿刺孔内部から引き抜きを行いつつ、当該シースと一体化されたカートリッジ内の押出ピストン部により、穿刺孔内部にカートリッジ内にチャージした止血剤を穿刺孔へ充填する、
止血剤挿入装置を提供する。
すなわち本発明が提供する上記の止血剤挿入装置は、すでに止血剤をチャージしたカートリッジを使用し、当該カートリッジの穿刺孔内部への挿入を、穿刺孔の深さに調節し得るものであり、不必要な止血剤が穿刺傷下部の動脈管内に挿入されないようにした点に一つの特徴を有する。
そのためのより具体的な止血剤挿入装置において、請求の範囲第２項に記載の装置は、前記カートリッジの先端部がテーパー構造を有し、穿刺孔内部への挿入を容易ならしめる構成を有する。
また、請求の範囲第３項に記載の具体的な止血剤挿入装置は、上記のカートリッジの先端部におけるテーパー構造部に切れ込みを施し、カートリッジ内部にチャージした止血剤を穿刺傷内部に充填しやすくした構成を有する。
本発明の第二の態様による請求の範囲第４項に記載の止血剤挿入装置は、上記した第一の態様を基本として、さらに穿刺孔内部へ挿入される中空案内シースを設け、穿刺孔内部への止血剤をチャージしたカートリッジの挿入を、容易ならしめるとともに、当該カートリッジと中空案内シースの動きが一体化されるよう構成した止血剤挿入装置を提供する。
すなわち、予め穿刺孔内部に挿入された中空案内シースを介して止血剤をチャージしたカートリッジが穿刺孔内に挿入された後、当該カートリッジと中空案内シースの両者を、案内ノブによりシース内で後方にスライドすることにより、穿刺孔内部から引き抜きを行いつつ、当該シースと一体化されたカートリッジ内の押出ピストン部により、穿刺孔内部にカートリッジ内にチャージした止血剤を穿刺孔へ充填する止血剤挿入装置を提供する。
以上により提供される本発明の止血剤挿入装置は、カートリッジ内にチャージした止血剤を、いわゆる押出し挿入（充填）するものではなく、穿刺孔内へ挿入された止血剤をチャージしたカートリッジを、穿刺孔内から引き抜く動きに合わせて止血剤が穿刺孔内部に留まる結果、止血剤が穿刺孔内部に充填される手段を採用する点に特徴を有する。本発明の止血挿入装置によれば、かかる特徴を有するが故に、止血剤が穿刺傷下部の血管内部に余分に充填されることはなく、きわめて安全性の高い穿刺孔の止血を達成得るものである。
したがって、本発明はまた別の一態様として、前記した止血剤挿入装置を用いた穿刺孔の止血方法を提供するものであり、具体的には、穿刺孔内部へ止血剤を挿入することにより、穿刺孔を止血するにあたり；
止血剤をチャージしたカートリッジを、穿刺孔内部に挿入し、
穿刺孔内部に挿入された当該カートリッジを、案内ノブによりシース内において後方にスライドすることにより、穿刺孔内部から引き抜きを行うと共に、当該シースに一体化されたカートリッジ内の押出ピストン部により、穿刺孔内部にカートリッジ内にチャージした止血剤を穿刺傷へ充填することを特徴とする、穿刺孔を止血する方法を提供する。
さらにまた本発明は、別の態様として、前記した第二の止血剤挿入装置を用いた穿刺孔の止血方法を提供するものであり、具体的には、穿刺孔内部へ止血剤を挿入することにより、穿刺孔を止血するにあたり；
穿刺孔内に中空案内シースを介して止血剤をチャージしたカートリッジを挿入し、
穿刺孔内部に挿入された当該カートリッジと中空案内シースの両者を、案内ノブによりシース内において後方にスライドすることにより、穿刺孔内部から引き抜きを行うと共に、当該シースに一体化されたカートリッジ内の押出ピストン部により、穿刺孔内部にカートリッジ内にチャージした止血剤を穿刺傷へ充填することを特徴とする、穿刺孔を止血する方法を提供する。
発明を実施するための最良の形態
本発明が提供する止血剤挿入装置は、上記したように、基本的な態様として、すでに止血剤をチャージしたカートリッジを使用し、当該カートリッジを穿刺孔内へ、直接挿入するか、あるいは中空案内シースを介して挿入したのち、止血剤をチャージしたカートリッジを、その穿刺孔内から徐々に引き抜くことにより、止血剤を穿刺孔内に留まらせ、充填する手段を採用する。その場合の穿刺孔内からのカートリッジの引き抜きは、カートリッジを保持する中空シースにより実施される。
一方、穿刺孔内への止血剤をチャージしたカートリッジの挿入は、穿刺孔の深さに固定するように調整され、カートリッジの先端が穿刺傷下部の血管内部へ不必要な挿入が生じないようにされている。かかる穿刺孔の深さにカートリッジの挿入を固定するような調整は、シースの前端部に設けた係止部材により実施される。
さらに、穿刺孔内に挿入された止血剤をチャージしたカートリッジを引き抜くことにより、カートリッジ内にチャージした止血剤を穿刺孔内部へ充填するためには、当該カートリッジをシース内で後方へスライドし、当該スライドと共に、シースと一体化されたカートリッジ内の押出ピストン部により止血剤が穿刺孔内部に留まるようにすることで実施される。
以上の特徴的な構成を有するために、本発明の止血剤挿入装置は、より簡便なものでありながら、不必要な止血剤の穿刺傷下部の血管内への充填が防止できる利点を有する。したがって、本発明が提供する止血剤挿入装置を使用することにより、高度な熟練を必要としないで、穿刺孔の止血を行える点で、従来の止血剤挿入装置にはみられない特異的特徴を有する。
実施例
以下に、本発明が提供する止血剤挿入装置を、図面を参照にしながらより詳細に説明する。
第１図に、本発明が提供する止血剤挿入装置の基本的構成を有する、第１の実施例による止血剤挿入装置の縦断面図を示す。
図中、１は止血剤挿入装置であり、当該止血剤挿入装置は、穿刺孔内部に挿入される止血剤２１をチャージしたカートリッジ１１、前記カートリッジを保持する中空シース１２、前記シース１２の後端部１３でシース１２と一体化され、カートリッジ１１内部にチャージした止血剤２１に対する押出ピストン部１４、前記カートリッジ１１を中空シース１２内部で摺動スライドさせる案内ノブ１５、中空シース１２の前端部に設けた係止部材１６から構成される。
止血剤２１をチャージしたカートリッジ１１の先端部１７は、穿刺孔内部への挿入を容易ならしめるため、やや先細りの形状（テーパー構造）を有すると共に、その先端開口部１８の口径は、チャージされた止血剤が押出ピストン部１４の先端部２０により押出された場合に、カートリッジ１１内部からの開放にしたがって膨らみ、穿刺孔内部に止血剤を緊密に充填可能となるように、カートリッジ１１の内径よりやや狭い開口構造とされている。
この場合において、カートリッジ１１の先端部１７は、カートリッジ内部にチャージされた止血剤２１が、カートリッジより穿刺傷内部へ容易に充填しやすいように、適当な切れ込みを施してあってもよい。
一方、カートリッジ１１を保持する中空シース１２の前端部には、穿刺孔の深さ以上にカートリッジの挿入を防止し得るように、係止部材１６が設けられており、かかる係止部材は、例えば、中空シース１２の外側で自由にスライドし、カートリッジ１１の挿入部の長さを調節し、かつ固定でき得るような、例えばねじ込み固定式的な係止部材を採用することができる。
本発明が提供する止血剤挿入装置１にあっては、カートリッジ１１内部にチャージされた止血剤２１が、中空シース１２内部でカートリッジを後方に摺動スライドすることにより中空シースと一体化された押出ピストン部１４の先端部２０働きにより、カートリッジ１１の先端開口部１８から穿刺孔内部に留まり、充填されるものであるが、中空シース内部１２でのカートリッジ１２のスライドを行うために、カートリッジ１１には案内ノブ１５が設けられており、当該案内ノブ１５は、例えば中空シース１２の両サイド部分に案内ノブ１５の動きを自由にする開口溝部１９を設け、当該開口溝部１９内で案内ノブを後方摺動させ得る構造を採用することで達成することができる。したがって、当該開口溝部１９内における案内ノブ１５の後方スライド可能な長さは、少なくともカートリッジ１１の穿刺孔内への挿入長さに相当するものであれば十分である。
本発明の止血剤挿入装置にあっては、止血剤２１をチャージしたカートリッジ１１を保持する中空シース１２内で、カートリッジ１１が後方に摺動スライドされるが、その場合の後方摺動スライドを可能とする長さにあっても、カートリッジ１１の長さに相当するものであれば十分である。
なお、カートリッジ１１内部に充填された止血剤２１は、カートリッジ１１内部に設けられた押出ピストン部１４の先端部２０と概略接してチャージされている。したがって、カートリッジ１１が中空シース１２内で後方摺動スライドされていくに伴い、押出ピストン部１４が当該中空シースに一体化され固定されていることより、結果的に止血剤２１がカートリッジ内部から押出され、穿刺孔内部に留まり、充填される構造とされている。
以上に記載した、本発明が提供する第１の実施例による止血剤挿入装置を使用した、具体的止血剤の穿刺孔内への充填方法を、以下の図面にしたがって説明する。
まず、第一に、心臓カテーテル手術、例えば、経皮的冠動脈形成術（ＰＴＣＡ）あるいは経皮的冠動脈再生術（ＰＴＣＲ）等で、大口径のシースを用いた術後において、当該シースを除去した後の穿刺孔の深さに相当するよう、止血剤をチャージしたカートリッジ１１の挿入部分の長さを、中空シース前端部に設けた係止部材を調整する。
次いで、第２図に示したように、皮膚表面３０に位置する穿刺孔３１の内部へ本発明の止血剤挿入装置を挿入する。かかる状態においては、穿刺孔内部でのカートリッジ１１の挿入は、穿刺孔の深さに調整された係止部材１６により、本発明の止血材料挿入装置１が皮膚表面３０に固定され、それによりカートリッジ１１の先端部１７が穿刺傷下部に位置する血管３２の内部に挿入されないようにされている。
次いで、第３図に示すようにこの状態を保持しつつ、係止部材を皮膚表面３０に固定した状態で、穿刺孔３１内部に挿入された当該カートリッジ１１を、案内ノブ１５により中空シース１２内において、後方（図中矢印方向）にスライドしていく。
このカートリッジ１１の後方スライドに従って、穿刺孔３１内部からカートリッジ１１が引き抜かれて行くと共に、カートリッジ１１内部にチャージされた止血剤２１は、押出ピストン部１４の先端部２０の働きによりカートリッジ１１の先端開口部１８から押出され、当該開口部１８がカートリッジの内径よりやや狭い開口構造であるため、カートリッジ１１内部からの開放にしたがって膨らみ、穿刺孔内部に止血剤２１が留まると共に緊密に充填されていくこととなる。
かかるカートリッジ１１の穿刺孔内部からの引き抜きを完全に完了した段階では、第４図に示すように、穿刺孔３１内部に止血剤２１が緊密に充填され、それと共に止血剤挿入装置１が取り去られることとなり、穿刺孔内部への止血剤２１の充填が完了する。
第５図に、本発明が提供する第２の実施例による止血剤挿入装置の縦断面図を示す。
図中、４０は止血剤挿入装置であり、当該止血剤挿入装置は、穿刺孔内部に挿入される中空案内シース４１、該中空案内シース４１に嵌入される止血剤２１をチャージしたカートリッジ４２、前記カートリッジを保持する中空シース４３の後端部４４でシース４３と一体化され、カートリッジ４２内部にチャージした止血剤２１に対する押出ピストン部４５、前記カートリッジ４２および案内シース４１を中空シース４３内部で一体して摺動スライドさせる案内ノブ４６、４７、ならびに中空シース４３の前端部に設けた係止部材４８から構成される。
この第２の実施例にあっても、止血剤２１をチャージしたカートリッジ４２から、穿刺孔内部への止血剤の充填は、基本的には第１の実施例と同様である。すなわち、カートリッジ４２内部にチャージされた止血剤２１が、中空シース４３内部でカートリッジを後方に摺動スライドすることにより中空シースと一体化された押出ピストン部４５の先端部４９働きにより、カートリッジ４２の先端開口部５０から穿刺孔内部に留まり、充填されるものである。
なお第２に実施例においては、穿刺孔内への止血剤をチャージしたカートリッジ４３の挿入を容易ならしめるために、穿刺孔内に中空案内シース４１を介してカートリッジ４３を挿入し、次いで、中空案内シース４１とカートリッジ４２を一体化し、その両者を、案内ノブ４６，４７によりシース４３内において後方にスライドする手段を採用する点で第１の実施例と異なっている。
そのために使用する中空案内シース４１の縦断面図を第６図、また、当該中空案内シース内に嵌入される止血剤をチャージしたカートリッジの縦断面図を第７図に示した。
すなわち、第２の実施例において使用される中空案内シース４１は、穿刺孔内に挿入し得る径と長さを有するとともに、その内部にカートリッジ４２を嵌入し得る径を有する筒状の形状を有している。そして、その端部に案内ノブ４７を設け、該案内ノブ４７には、案内シース内に嵌入されたカートリッジ４１との一体化を確保するために、カートリッジの案内ノブを嵌着し得る溝部５１を設けられている。なお、第６図（ｂ）は、第６図（ａ）に示した中空案内シースを、案内ノブ４７方向Ａからみた形状である。
一方、中空案内シース内に嵌入される、止血剤２１をチャージしたカートリッジ４２は、内部に止血剤２１をチャージするとともに、案内シース４１内に嵌入し得る外径を有し、その端部において、案内シース４１のノブ４７に設けた溝部５１内に嵌着し得る案内ノブ４６が設けられている。第７図（ｂ）に第７図（ａ）に示したカートリッジ４２を、案内ノブ４６方向Ｂからみた形状を示した。
本案内シース４１と、止血剤２１をチャージしたカートリッジ４２の長さは、両者ともその先端部において一致する長さを有し、かつ穿刺孔内に挿入されるに十分な長さを有するものであればよい。
第８図（ａ）および（ｂ）に、これら中空案内シース４１と止血剤２１をチャージしたカートリッジ４１が一体化された状態を示した。すなわち、穿刺孔内に挿入された案内シース４１の内部にカートリッジ４２が嵌入され（図中矢印方向）、案内シース４１のノブ４７に設けた溝部５１にカートリッジ４２のノブ４６が嵌着され、両者が一体化（第８図ｂ）される。
かくして一体化された案内シース４１と、止血剤２１をチャージしたカートリッジ４２を、本発明の中空シース４３内で後方スライドさせることにより、カートリッジ４２ないの止血剤２１が、押出しピストンの作用により、穿刺孔内に充填されるのであるが、かかる中空シース４３の縦断面構造図を第９図に示した。
すなわち、中空シース４３にあっては、その先端部には皮膚表面に対する係止部材４８が設けられているとともに、カートリッジ４２（および一体化した案内シース４１）を中空シース内に装着し得る開口部５２が設けられている。一方、その後端部４４においては、当該中空シース４３と一体化され、カートリッジ４２内部にチャージした止血剤２１に対する押出ピストン部４５が設けられている。さらに、当該中空シース４３の両サイドには、内部に装着された、前記カートリッジ４２（および一体化した案内シース４１）を中空シース４３内部で後方摺動スライドさせるに必要な開口溝部５３が開けられている。なおカートリッジ４２のシース４３内の動きは、開口溝部５３内でカートリッジ４２（および案内シース４１）の案内ノブ４６（および４７）を後方摺動させ得る構造を採用することで達成することができる。したがって、当該開口溝部５３内における案内ノブの後方スライド可能な長さは、少なくともカートリッジ４２（および案内シース４１）の穿刺孔内への挿入長さに相当するものであれば十分である。
なお、第９図（ｂ）に、中空シース４３の開口部５２のＣ方向より見た図を示し、また第９図（ｃ）に中空シースの開口溝部５３の正面方向から見た図を示した。
以上に記載した、本発明が提供する第２の実施例による、止血剤挿入装置を使用した具体的止血剤の穿刺孔内への充填方法を、以下の図面にしたがって説明する。
まず第１０図に示すように、第一に、心臓カテーテル手術、例えば、経皮的冠動脈形成術（ＰＴＣＡ）あるいは経皮的冠動脈再生術（ＰＴＣＲ）等で、大口径のシースを用いた術後において、当該シースを除去した後の穿刺孔の深さに相当するよう、案内中空シース４１が挿入する。次いで止血剤をチャージしたカートリッジ４２を、前記案内シース４１内に装着しつつ、カートリッジ４２の先端部より案内シース４１内にカートリッジ４２を嵌入するとともに、ノブ４６および４７の嵌着により案内シース４１とカートリッジ４２を一体化する。
かかる状態により、第１１図に示したように、穿刺孔内部でのカートリッジ４２の挿入は、案内シース４１を介して容易に穿刺孔内に挿入されるとともに、中空シース４３の先端部に設けられた係止部材４８により、本発明の止血材料挿入装置が皮膚表面３０に固定され、それによりカートリッジ４２の先端部５０が穿刺傷下部に位置する血管３２の内部に挿入されないようにされている。
次いで、この状態を保持しつつ、係止部材を皮膚表面３０に固定した状態で、穿刺孔３１内部に挿入されたカートリッジ４２（および一体化された案内シース４１）を、案内ノブ４６（および一体化された４７）により中空シース４３内の開口溝部５３において、後方（図中矢印方向）にスライドしていく。
このカートリッジ４２（および一体化された案内シース４１）の後方スライドに従って、穿刺孔３１内部からカートリッジ４２が案内シース４１と一体して引き抜かれて行き、カートリッジ４２内部にチャージされた止血剤２１は、押出ピストン部４５の先端部４９の働きによりカートリッジの先端開口部５０から押出され、穿刺孔内部に止血剤２１が留まると共に、緊密に充填されていくこととなる。
かかるカートリッジ４２（および一体化された案内シース４１）の穿刺孔内部からの引き抜きを完全に完了した段階では、第１２図に示すように、穿刺孔３１内部に止血剤２１が緊密に充填され、それと共に止血剤挿入装置が取り去られることとなり、穿刺孔内部への止血剤２１の充填が完了する。
なお、上記した基本的な構成を有する限り、本発明が提案する止血剤挿入装置は種々の変形応用が可能なものであり、これらの変形はすべて本発明の範囲内の包含されるものである。
以上に説明した手段により、穿刺孔内部に、目的とする止血剤を簡便に挿入することができる。このような止血剤としては、従来から種々の止血目的に使用されているコラーゲン、あるいは可溶性止血セルロースを挙げることができ、特に本発明の止血剤としては、可溶性止血セルロースを用いることにより、好結果を挙げることが判明した。
なお、本発明の止血剤挿入装置にあっては、穿刺孔内部へのカートリッジの挿入を確実にするように、ガイドワイヤを装置中心に設けることも可能であるが、かかるガイドワイヤは必ずしも必要とするものではなく、特に、穿刺孔の止血は、手術後のシースの除去後に直ちに行うものである点を考慮すると、案内ワイヤを用いなくても穿刺孔内部へのカートリッジの挿入が可能となる。特に第２の実施例による穿刺孔内部へのカートリッジの挿入は、案内シースを介して確実に行えるものであり、より簡便な止血操作を行うことが可能となる。
なお、発明が提供する止血剤挿入装置にあっては、上記した血管の穿刺部位の止血のみならず、その使用目的からみて、体腔内手術時の止血にも応用しうるものでもあることはいうまでもない。
産業上の利用可能性
以上のように本発明の止血剤挿入装置によれば、これまでの複雑な装置によっていた止血方法と比較し、簡便な方法で、穿刺孔内部への止血剤の充填が可能となるものであり、さらに、穿刺孔内部へ挿入するカートリッジの長さを、穿刺孔の深さに想到するように自由に調整できる点で、不必要な止血剤を穿刺傷下部の動脈管内部に充填してしまう危険性を回避でき、その点で安全かつ、極めて優れたものであることが理解される。
さらに、止血剤をチャージしたカートリッジを穿刺孔内部より引き抜くことにより止血剤が充填されていくことより、これまでの押出し充填に比較し、技術的な熟練を必要としないものであり、医療上の応用性が高いものであるといえる。
【図面の簡単な説明】
第１図は、本発明の止血剤挿入装置における第１の実施例の構造を示す縦断面図である。
第２図ないし第４図は、第１の実施例による、本発明の止血剤を穿刺孔内部へ充填する方法を略図する縦断面図である。
第５図は、本発明の止血剤挿入装置における第２の実施例の構造を示す縦断面図である。
第６図は、第２の実施例による中空案内シースの構造を示し、（ａ）はその縦断面図であり、（ｂ）図中Ａ方向よりの正面図である。
第７図は、第２の実施例による止血剤をチャージしたカートリッジの構造を示し、（ａ）はその縦断面図であり、（ｂ）は図中Ｂ方向よりの正面図である。
第８図は、第２の実施例による中空案内シースに止血剤をチャージしたカートリッジを嵌入一体化させるための説明図である。
第９図は、第２の実施例による中空シースの構造を示し、（ａ）はその縦断面図であり、（ｂ）図中Ｃ方向よりの正面図であり、（ｃ）は開口溝部からみた正面図である。
第１０図ないし第１２図は、第２の実施例による、本発明の止血剤を穿刺孔内部へ充填する方法を略図する縦断面図である。
図中、
１    止血剤挿入装置、
１１  カートリッジ、
１２  中空シース、
１４  押出ピストン部、
１５  案内ノブ、
１６  係止部材、
１８  先端開口部、
２１  止血剤、
３１  穿刺孔、
３２  血管、
４０  止血剤挿入装置、
４１  中空案内シース、
４２  カートリッジ、
４３  中空シース、
４５  押出しピストン部、
５３  開口溝
である。
【図１】
0004391699.tif 000002
【図２】
0004391699.tif 000003
【図３】
0004391699.tif 000004
【図４】
0004391699.tif 000005
【図５】
0004391699.tif 000006
【図６】
0004391699.tif 000007
【図７】
0004391699.tif 000008
【図８】
0004391699.tif 000009
【図９】
0004391699.tif 000010
【図１０】
0004391699.tif 000011
【図１１】
0004391699.tif 000012
【図１２】
0004391699.tif 000013